(57)【要約】【課題】緩衝材が外箱の内面から圧力を受けている場合であっても、製品を外箱から容易に取り出すことのできる梱包箱構造を提供する。【解決手段】梱包箱構造であって、上側緩衝材２０及び下側緩衝材３０は、段ボール材を折り曲げてそれぞれ形成され、この折り曲げてできた内側部を向かい合わせて製品３を挟み込む一方、上側緩衝材２０及び下側緩衝材３０が外箱２の内部に入れられた状態で、上側緩衝材２０の側辺部２０ｄ、２０ｅが外箱２の一つの対向する内側面２ｂ、２ｃに押圧されると共に、下側緩衝材３０の側辺部３０ｄ、３０ｅが外箱２の対向する他の内側面２ｄ、２ｅに押圧されるように組み付けられ、上側緩衝材２０の側辺部２０ｄ、２０ｅに外箱２の開口２ａから表出する切り欠き部２２又は穴部を形成し、下側緩衝材３０に切り欠き部２２又は穴部を介して下側緩衝材３０を把持可能な把持穴３４を形成した。【選択図】図１
2008081178.tif 000002
【特許請求の範囲】
【請求項１】
上側に開口を有する外箱と、この外箱の開口から入れられる製品に下側から組み付けられる下側緩衝材と、上側から組み付けられる上側緩衝材とを備えた梱包箱構造であって、
前記上側緩衝材及び前記下側緩衝材は、段ボール材を折り曲げてそれぞれ形成され、この折り曲げてできた内側部を向かい合わせて製品を挟み込む一方、前記上側緩衝材及び前記下側緩衝材が外箱の内部に入れられた状態で、上側緩衝材の側辺部が前記外箱の一つの対向する内側面に押圧されると共に、下側緩衝材の側辺部が前記外箱の対向する他の内側面に押圧されるように組み付けられ、
前記上側緩衝材の側辺部に前記外箱の開口から表出する切り欠き部又は穴部を形成し、前記下側緩衝材に前記切り欠き部又は穴部を介して下側緩衝材を把持可能な把持穴を形成したことを特徴とする梱包箱構造。
【請求項２】
前記上側緩衝材及び前記下側緩衝材は、前記製品の外側面が折り曲げられた内側部に接するように形成されていることを特徴とする請求項１に記載の梱包箱構造。
【発明の詳細な説明】
【技術分野】
【０００１】
本発明は、流通過程において梱包された製品を保護するための梱包箱構造に関する。
【背景技術】
【０００２】
製品を梱包する梱包箱には、外箱と、この外箱の内部で製品を保護するための緩衝材とを備えたものがある（例えば、特許文献１参照）。この緩衝材としては、例えば、製品を上下から挟むようにして取り付けられる上側緩衝材及び下側緩衝材で構成されたものがある。これらの緩衝材の外形部分は、外箱内に入れられた状態で外箱の内側面によって適度な圧力で押圧されるようになっており、これにより梱包された製品が外箱内で自由に移動しないようになっている。また、この緩衝材がクッションの役割を果たすことにより、流通過程において梱包箱の外部から受ける衝撃を緩和するようになっている。
【特許文献１】特開２００４−２８４６５８号公報
【発明の開示】
【発明が解決しようとする課題】
【０００３】
しかしながら、これらの上側緩衝材及び下側緩衝材が外箱の内側面から圧力を受けて押圧されていると、製品の購入者や作業者等が外箱内から製品を取り出す際に、この緩衝材が外箱の内側面と摩擦して外箱の外に出難いため、取り出し難いという問題がある。
【０００４】
本発明は、上述した事情に鑑みてなされたものであり、緩衝材が外箱の内面から圧力を受けている場合であっても、製品を外箱から容易に取り出すことのできる梱包箱構造を提供することを目的とする。
【課題を解決するための手段】
【０００５】
本発明では、上側に開口を有する外箱と、この外箱の開口から入れられる製品に下側から組み付けられる下側緩衝材と、上側から組み付けられる上側緩衝材とを備えた梱包箱構造であって、前記上側緩衝材及び前記下側緩衝材は、段ボール材を折り曲げてそれぞれ形成され、この折り曲げてできた内側部を向かい合わせて製品を挟み込む一方、前記上側緩衝材及び前記下側緩衝材が外箱の内部に入れられた状態で、上側緩衝材の側辺部が前記外箱の一つの対向する内側面に押圧されると共に、下側緩衝材の側辺部が前記外箱の対向する他の内側面に押圧されるように組み付けられ、前記上側緩衝材の側辺部に前記外箱の開口から表出する切り欠き部又は穴部を形成し、前記下側緩衝材に前記切り欠き部又は穴部を介して下側緩衝材を把持可能な把持穴を形成したことを特徴とする。
この構成によれば、下側緩衝材を把持して上側緩衝材及び製品を開口から引き出すことができる。
【０００６】
この場合において、前記上側緩衝材及び前記下側緩衝材は、前記製品の外側面が折り曲げられた内側部に接するように形成することもできる。
この構成によれば、上側緩衝材及び下側緩衝材の内側部に発泡材などを入れなくても製品が自由に動くことを防止することができる。
【発明の効果】
【０００７】
本発明によれば、前記上側緩衝材の側辺部に前記外箱の開口から表出する切り欠き部又は穴部を形成し、前記下側緩衝材に前記切り欠き部又は穴部を介して下側緩衝材を把持可能な把持穴を形成したことにより、外箱の開口から下側緩衝材の把持穴を把持して開口から上側に引き出すことができる。このとき、下側緩衝材を直接に把持することができるので、外箱の内側面から押圧されている力（摩擦力）よりも大きな力をかけて引き出すことができる。その結果、下側緩衝材、開口側（下側緩衝材の上側）に位置する上側緩衝材、及びこれらの緩衝材で挟み込まれた製品を一体に外箱から引き出すことができるので、製品が取り出し難いということがなくなる。
【発明を実施するための最良の形態】
【０００８】
以下、本発明の実施の形態に係る梱包箱構造について、図面を参照しながら説明する。なお、本実施の形態では、梱包される製品の一例として、空気調和装置の室内機にオプションとして取り付けられるドレンアップキットを用いて説明する。なお、このドレンアップキットとは、室内機のドレン水を汲み上げるためのものであり、室内機の設置環境等によって取り付けが必要になるものである。
【０００９】
図１は、本発明の実施の形態に係る梱包箱構造を用いた梱包箱の分解図である。
梱包箱１は、外箱２と、この外箱２の内部に梱包されるドレンアップキット３を保護するための上側緩衝材２０及び下側緩衝材３０とを備えている。
【００１０】
外箱２は、段ボール材を用いて略直方体形状に形成された一般的な段ボール箱である。この外箱２の上側面は、中央部から観音開きで開閉することができるようになっており、開いたときの開口２ａからドレンアップキット３を収納（梱包）することができるようになっている。また、この外箱２は、互いに対向する一つの内側面２ｂ、２ｃと、この内側面２ｂ、２ｃと略直交する内側面であって、互いに対向する他の内側面２ｄ、２ｅとを備えている。
【００１１】
上側緩衝材２０及び下側緩衝材３０は、ドレンアップキット３に対して上下から挟むようにして組み付けた後に、これらを一体にして外箱２の開口２ａから外箱２の中に入れられる。一方、外箱２から取り出すときには、ドレンアップキット３に上側緩衝材２０と下側緩衝材３０とが組み付いた状態で外箱２から取り出されるようになっている。
【００１２】
上側緩衝材２０は、図１に示すように、１枚の段ボール材を略コ字形状に折り曲げたものであり、このコ字形状の開放部が下側を向くようにドレンアップキット３に組み付けられる。この上側緩衝材２０は、略水平面となる上側面部２０ａと、この上側面部２０ａの互いに対向する２辺から略鉛直下側に向けてそれぞれ延びる側壁面部２０ｂ、２０ｃとを備えている。また、上側面部２０ａの側壁面部２０ｂ、２０ｃがない２辺の部分には、側辺部２０ｄ、２０ｅを備えている。
【００１３】
この２つの側壁面部２０ｂ、２０ｃの間隔Ｌ１（コ字形状の内々の間隔であって、側辺部２０ｄ、２０ｅの長さ寸法）は、ドレンアップキット３の長手方向（図１において、ドレンアップキット３の流入口３ａから右斜め奥側に向かう方向。以下の説明で使用する長手方向についても同じとする。）の寸法と同じか、若干小さめに形成されている。これにより、ドレンアップキット３と上側緩衝材２０とが組み付けられた状態では、ドレンアップキット３は、上側緩衝材２０の側壁面部２０ｂ、２０ｃと接触して、その長手方向において自由に移動しないようになる。
【００１４】
また、側壁面部２０ｂ、２０ｃの上下方向の長さは、ドレンアップキット３の上下方向の全長とほぼ一致するように形成されている。
【００１５】
さらに、側辺部２０ｄ、２０ｅの間隔Ｌ２は、ドレンアップキット３の幅方向（図１において、ドレンアップキット３の流入口３ａを横断する方向であって、ドレンアップキット３の長手方向と直角な方向。以下の説明で使用する幅方向についても同じとする。）の寸法よりも大きく、かつ、外箱２の内側面２ｂ、２ｃの間隔よりも若干大きく形成されている。これにより、上側緩衝材２０が外箱２の内部に入れられた状態では、側辺部２０ｄ、２０ｅが外箱２の内側面２ｂ、２ｃから適度な圧力で押圧されることになる。
【００１６】
また、上側緩衝材２０の上側面部２０ａには、その中央部に丸孔２１が形成されている。この丸孔２１は、上側緩衝材２０と下側緩衝材３０とを組み付けた状態で、内包されたドレンアップキット３を上側緩衝材２０の上方から確認することができるようになっている。また、側辺部２０ｄ、２０ｅには、略中央部に円弧状の切り欠き部２２がそれぞれ形成されている。
【００１７】
２つの側壁面部２０ｂ、２０ｃは、向きを逆にしても使用することができるように、同一の形状に形成されている。ゆえに、以下の側壁面部２０ｂについて行う説明は、全て側壁面部２０ｃにも同じように当てはまるものとする。
上側緩衝材２０の側壁面部２０ｂの上側部分には、幅方向の中央部に丸孔２３が形成されている。また、上側緩衝材２０の側壁面部２０ｂには、ドレンアップキット３の幅方向に間隔をあけて２本のスリット２５が形成されている。この２本のスリット２５は、側壁面部２０ｂの下端からほぼ中央の高さまで鉛直上側方向に向けてそれぞれ延びている。これらのスリット２５の幅寸法は、段ボール材の板厚寸法と同じか、若干小さめに形成されている。
【００１８】
側壁面部２０ｂの２本のスリット２５に挟まれた内側部分２６には、その下端部にドレンアップキット３の流入口３ａを避けるように切り欠き部２４が形成されている。また、２本のスリット２５の外側部分２７は、高さ方向において上述の内側部分よりも短くなるようにそれぞれ形成されており、角部にはＲ形状に面取りがなされている。
【００１９】
一方、下側緩衝材３０は、図１に示すように、１枚の段ボール材を略コ字形状に折り曲げたものであり、このコ字形状の開放部が上側を向くようにドレンアップキット３に組み付けられる。この下側緩衝材３０は、略水平面となる下側面部３０ａと、この下側面部３０ａの互いに対向する２辺から略鉛直上側に向けてそれぞれ延びる側壁面部３０ｂ、３０ｃとを備えている。また、下側面部３０ａの側壁面部３０ｂ、３０ｃがない２辺の部分には、側辺部３０ｄ、３０ｅを備えている。
この下側緩衝材３０は、側壁面部３０ｂ、３０ｃが、上側緩衝材２０の側壁面部２０ｂ、２０ｃと略直交するように上側緩衝材２０に対して配置される。
【００２０】
この２つの側壁面部３０ｂ、３０ｃの間隔Ｌ３は、ドレンアップキット３の幅方向の寸法と同じか、若干小さめに形成されている。これにより、ドレンアップキット３と下側緩衝材３０とが組み付けられた状態では、ドレンアップキット３は、下側緩衝材３０の側壁面部３０ｂ、３０ｃと接触して、その幅方向において自由に移動しないようになる。
【００２１】
また、側壁面部３０ｂ、３０ｃの上下方向の長さは、ドレンアップキット３の上下方向の全長とほぼ一致するように形成されている。
【００２２】
さらに、側辺部３０ｄ、３０ｅの間隔Ｌ４は、ドレンアップキット３の長手方向の寸法よりも大きく、かつ、外箱２の内側面２ｄ、２ｅの間隔よりも若干大きく形成されている。これにより、下側緩衝材３０が外箱２の内部に入れられた状態では、側辺部３０ｄ、３０ｅが外箱２の内側面２ｄ、２ｅから適度な圧力で押圧されることになる。
【００２３】
２つの側壁面部３０ｂ、３０ｃは、向きを逆にしても使用することができるように、同一の形状に形成されている。ゆえに、以下の側壁面部３０ｂについて行う説明は、全て側壁面部３０ｃにも同じように当てはまるものとする。
【００２４】
下側緩衝材３０の側壁面部３０ｂには、ドレンアップキット３の長手方向に間隔をあけて２本のスリット３５が形成されている。この２本のスリット３５は、側壁面部３０ｂの上端からほぼ中央の高さまで鉛直下側方向に向けてそれぞれ延びている。これらのスリット３５の幅寸法は、段ボール材の板厚寸法と同じか、若干小さめに形成されている。
【００２５】
側壁面部３０ｂの２本のスリット３５に挟まれた内側部分３６には、その上部に把持穴３４が形成されている。この把持穴３４は、図２に示すように、上側緩衝材２０と下側緩衝材とが組み合わされた状態において、上側緩衝材２０の切り欠き部２２の直下の位置にくるように配置されている。また、２本のスリット３５の外側部分３７は、高さ方向において上述の内側部分よりも短くなるようにそれぞれ形成されており、角部にはＲ形状に面取りがなされている。
【００２６】
次に、本発明の実施の形態に係る梱包箱構造の作用について図１及び図２を用いて説明する。図２は、上側緩衝材２０及び下側緩衝材３０を組み合わせた状態を示す全体斜視図である。
上側緩衝材２０及び下側緩衝材３０は、図１に示すように、それぞれのコ字形状の開放部を向かい合わせた状態で、ドレンアップキット３を挟み込む態様で組み合わされる。このとき、上側緩衝材２０のスリット２５と、下側緩衝材３０のスリット３５とが組み合わされることにより、上側緩衝材２０と下側緩衝材３０とが図２に示すように組み合わされる。この図２の状態では、上側緩衝材２０の内側部分２６の下端は、下側緩衝材３０の下側面部３０ａに当接しており、同様に、下側緩衝材３０の内側部分３６の上端は、上側緩衝材２０の上側面部２０ａに当接している。
【００２７】
上側緩衝材２０と下側緩衝材３０とが組み付けられた状態では、その内部に挟み込まれたドレンアップキット３は、長手方向の側面部が下側緩衝材３０の側壁面部３０ｂ、３０ｃと接触すると共に、幅方向の側面部が上側緩衝材２０の側壁面部２０ｂ、２０ｃと接触し、水平方向において固定されることになる。
一方、ドレンアップキット３の上側部は、上側緩衝材２０の上側面部２０ａと接触し、ドレンアップキット３の下側部は、下側緩衝材３０の下側面部３０ａと接触し、上下方向において固定される。
【００２８】
このように上側緩衝材２０及び下側緩衝材３０とでドレンアップキット３を挟んだ状態で、外箱２の内部に開口２ａから入れられる（梱包される）ことになる。このとき、上側緩衝材２０の側辺部２０ｄ、２０ｅが外箱２の内側面２ｂ、２ｃから適度な圧力で押圧される一方、下側緩衝材３０の側辺部３０ｄ、３０ｅが外箱２の内側面２ｄ、２ｅから適度な圧力で押圧される。また、上側緩衝材２０と下側緩衝材３０とはスリット２５、３５でがたつきがないように取り付けられていることにより、上側緩衝材２０及び下側緩衝材３０が外箱２の内部で水平方向において固定されることになる。
また、外箱２の内部では、下側緩衝材３０の下側面部が外箱２の底面部と接触している。上側緩衝材２０の上側面部２０ａから開口２ａまでの間には若干の隙間が空けられており、この隙間に図示しない取扱説明書や付属部品がビニール袋に入れられて収納されることになる。
【００２９】
他方、外箱２の内部からドレンアップキット３を取り出す場合には、上述した取扱説明書を取り出すと、外箱２の開口２ａからは、上側緩衝材２０の上側面部２０ａが表出することになる。作業者は、この上側面部２０ａの側辺部２０ｄ、２０ｅにそれぞれ形成された切り欠き部２２に指を入れ、下側緩衝材３０の把持穴３４を把持して上側に引き上げる。このとき、上側緩衝材２０及び下側緩衝材３０は外箱２の内側面２ｂ、２ｃ、２ｄ、２ｅから適度な圧力で押圧されているので、外箱２から引き出す作業の抵抗となるが、把持穴３４を把持して引き上げることにより、この抵抗に十分に抗する力で下側緩衝材３０、上側緩衝材２０、及びドレンアップキット３を一体にして外箱２から引き出すことができる。
【００３０】
本発明の実施の形態に係る梱包箱構造によれば、上側緩衝材２０の側辺部２０ｄ、２０ｅに外箱２の開口２ａから表出する切り欠き部２２を形成し、下側緩衝材３０に切り欠き部２２を介して下側緩衝材３０を把持可能な把持穴３４を形成したことにより、外箱２の開口２ａから下側緩衝材３０の把持穴３４を把持して開口２ａから上側に引き出すことができる。このとき、下側緩衝材３０を直接に把持することができるので、外箱２の内側面２ｂ、２ｃ、２ｄ、２ｅから押圧されている力よりも大きな力をかけて引き出すことができる。その結果、下側緩衝材３０、開口側（下側緩衝材３０の上側）に位置する上側緩衝材２０、及びこれらの緩衝材で挟み込まれたドレンアップキット３を一体に外箱２から引き出すことができるので、ドレンアップキット３が取り出し難いということがなくなる。
【００３１】
また、外箱２の内側面２ｂ、２ｃ、２ｄ、２ｅとドレンアップキット３との間には、上側緩衝材２０の外側部分２７、及び下側緩衝材３０の外側部分３７の分だけ空間が確保されることになり、外箱２の横方向外部から受ける衝撃をこの空間で受け、ドレンアップキット３への衝撃を緩和することができる。
【００３２】
さらに、上側緩衝材２０の内側部分２６の下端が下側緩衝材３０の下側面部３０ａと接触し、下側緩衝材３０の内側部分３６の上端が上側緩衝材２０の上側面部２０ａと接触しているので、外箱２の鉛直方向外部から受ける衝撃をこの内側部分２６、３６で受け、ドレンアップキット３への衝撃を緩和することができる。
【００３３】
さらにまた、上側緩衝材２０及び下側緩衝材３０は、ドレンアップキット３の外側面がコ字形状に折り曲げられた内側部分に接するように形成されているので、ドレンアップキット３が自由に動くことを防止することができる。そのため、上側緩衝材２０及び下側緩衝材３０の内側部分に発泡材などを入れなくてもよく、梱包材のコストを低く抑えることができる。
【００３４】
以上、本発明を実施するための最良の形態について述べたが、本発明は既述の実施形態に限定されるものではなく、本発明の技術思想に基づいて各種の変形および変更が可能である。
本実施の形態では、上側緩衝材２０の側辺部２０ｄ、２０ｅに、把持穴３４を把持するための切り欠き部２２をそれぞれ設けているが、外箱２の開口２ａから把持穴３４を把持することができるものであれば、切り欠き部２２の替わりに穴部であってもかまわない。これにより、作業者が穴部から指を入れて把持穴３４を把持することができるので、上側緩衝材２０及び下側緩衝材３０が外箱２の内側面２ｂ、２ｃ、２ｄ、２ｅから圧力を受けている場合であっても、ドレンアップキット３を外箱２から容易に取り出すことができる。
【００３５】
また、本実施の形態で使用する上側緩衝材２０及び下側緩衝材３０は、段ボール材を略コ字形状に折り曲げて形成したが、略コ字形状に限定されない。例えば、山形形状や多角形形状であってもよく、上側緩衝材２０と下側緩衝材３０とを組み合わせることができ、下側緩衝材３０を引き出すときに上側緩衝材２０及びドレンアップキット３が一体で引き出し得る形状であればよい。
【００３６】
さらに、梱包する製品としてドレンアップキット３を用いて説明したが、上側緩衝材２０、下側緩衝材３０、及び外箱２を用いて梱包するものであれば、どのような製品が対象であってもかまわない。
【図面の簡単な説明】
【００３７】
【図１】本発明の実施の形態に係る梱包箱構造の分解斜視図である。
【図２】本発明の実施の形態に係る梱包箱構造に使用される上側緩衝材及び下側緩衝材を組み合わせた状態を示す全体斜視図である。
【符号の説明】
【００３８】
１  梱包箱
２  外箱
２ａ  開口
２ｂ、２ｃ、２ｄ、２ｅ  内側面
３  ドレンアップキット
３ａ  流入口
２０  上側緩衝材
２０ａ  上側面部
２０ｂ、２０ｃ  側壁面部
２０ｄ、２０ｅ  側辺部
２１  丸孔
２２  切り欠き部
２３  丸孔
２４  切り欠き部
２５  スリット
２６  内側部分
２７  外側部分
３０  下側緩衝材
３０ａ  下側面部
３０ｂ、３０ｃ  側壁面部
３０ｄ、３０ｅ  側辺部
３４  把持穴
３５  スリット
３６  内側部分
３７  外側部分
Ｌ１〜Ｌ４  間隔
【図１】
2008081178.tif 000003
【図２】
2008081178.tif 000004